【手続補正書】
【提出日】平成22年7月22日(2010.7.22)
【手続補正１】
【補正対象書類名】特許請求の範囲
【補正対象項目名】全文
【補正方法】変更
【補正の内容】
【特許請求の範囲】
【請求項１】
ピクチャ内符号化を用いて圧縮されたＩＤＲ（Instantaneous Decoder Refresh）ピクチャ及びＩピクチャと、ピクチャ間予測符号化を用いて圧縮されたＰピクチャ及びＢピクチャとを含む圧縮画像データを復号化する画像復号化装置であって、
前記圧縮画像データを記憶する第１のピクチャバッファと、
復号化された画像データを記憶する第２のピクチャバッファと、
前記第２のピクチャバッファに記憶される画像データを選択的に参照して、前記第１のピクチャバッファに記憶される前記圧縮画像データを復号化し、復号化された画像データを前記第２のピクチャバッファに記憶する復号化手段と、
前記第２のピクチャバッファの空き容量を検出する検出手段と、
前記検出手段によって検出された前記空き容量が所定値未満になったならば、前記復号化手段による復号化を中断して後続のI、Ｐ及びＢピクチャの復号化された画像データの出力を禁止する制御手段と、
前記復号化手段による復号化が中断している期間に、前記第１のピクチャバッファにＩＤＲピクチャが記憶されたことを判定する判定手段と、を備え、
前記制御手段は、前記判定手段によってＩＤＲピクチャが記憶されたと判定されたことに応じて、前記復号化手段による復号化を当該ＩＤＲピクチャから再開することを特徴とする画像復号化装置。
【請求項２】
前記制御手段は、前記空き容量が所定値未満のときに、前記第２のピクチャバッファに記憶される所定の画像データの読み出しを繰り返すことを特徴とする請求項１に記載の画像復号化装置。
【請求項３】
前記復号化手段による復号化の中断を示すメッセージを発行する警告手段を更に備えることを特徴とする請求項１又は２に記載の画像復号化装置。
【請求項４】
ピクチャ間予測符号化及びピクチャ内符号化を用いて圧縮された圧縮画像データを復号化する画像復号化装置であって、
前記圧縮画像データを記憶する第１のピクチャバッファと、
復号化された画像データを記憶する第２のピクチャバッファと、
前記第２のピクチャバッファに記憶される画像データを選択的に参照して、前記第１のピクチャバッファに記憶される前記圧縮画像データを復号化し、復号化された画像データを前記第２のピクチャバッファに記憶する復号化手段であって、前記ピクチャ間予測符号化による圧縮画像データと前記ピクチャ内符号化による圧縮画像データの両方を復号化する全復号処理モードと、前記ピクチャ内符号化による圧縮画像データのみを復号化する選択復号処理モードとを選択的に実行可能な復号化手段と、
前記第２のピクチャバッファの空き容量を検出する検出手段と、
前記検出手段によって検出された前記空き容量が所定値未満になったならば、前記復号化手段に前記選択復号処理モードによる復号化を指示する制御手段と、
前記復号化手段によって前記選択復号処理モードが実行されている期間に、前記第１のピクチャバッファに前記ピクチャ内符号化を用いて圧縮されたＩＤＲ（Instantaneous Decoder Refresh）ピクチャが記憶されたことを判定する判定手段と、を備え、
前記制御手段は、前記判定手段によってＩＤＲピクチャが記憶されたと判定されたことに応じて、前記復号化手段に当該ＩＤＲピクチャ以降の圧縮画像データを前記全復号処理モードによって復号化するように指示することを特徴とする画像復号化装置。
【請求項５】
前記制御手段は、前記選択復号処理モードで所定の期間、前記第２のピクチャバッファに画像データが記憶されない場合に、前記第２のピクチャバッファの画像データを所定の期間、繰り返し読み出すことを特徴とする請求項４に記載の画像復号化装置。
【請求項６】
前記復号化手段の前記選択復号処理モードへの切り替えを示すメッセージを発行する警告手段を更に備えることを特徴とする請求項４又は５に記載の画像復号化装置。
【請求項７】
ピクチャ内符号化を用いて圧縮されたＩＤＲ（Instantaneous Decoder Refresh）ピクチャ及びＩピクチャと、ピクチャ間予測符号化を用いて圧縮されたＰピクチャ及びＢピクチャとを含む圧縮画像データを復号化する画像復号化装置であり、且つ前記圧縮画像データを記憶する第１のピクチャバッファと、復号化された画像データを記憶する第２のピクチャバッファとを備える画像復号化装置を制御する方法であって、
復号化手段が、前記第２のピクチャバッファに記憶される画像データを選択的に参照して、前記第１のピクチャバッファに記憶される前記圧縮画像データを復号化し、復号化された画像データを前記第２のピクチャバッファに記憶する復号化工程と、
検出手段が、前記第２のピクチャバッファの空き容量を検出する検出工程と、
制御手段が、前記検出工程によって検出された前記空き容量が所定値未満になったならば、前記復号化工程における復号化を中断して後続のI、Ｐ及びＢピクチャの復号化された画像データの出力を禁止する制御工程と、
判定手段が、前記復号化工程による復号化が中断している期間に、前記第１のピクチャバッファにＩＤＲピクチャが記憶されたことを判定する判定工程と、を備え、
前記制御工程では、前記判定工程によってＩＤＲピクチャが記憶されたと判定されたことに応じて、前記復号化工程による復号化を当該ＩＤＲピクチャから再開することを特徴とする画像復号化装置の制御方法。
【請求項８】
前記制御工程では、前記空き容量が所定値未満のときに、前記第２のピクチャバッファに記憶される所定の画像データの読み出しを繰り返すことを特徴とする請求項７に記載の画像復号化装置の制御方法。
【請求項９】
前記復号化工程による復号化の中断を示すメッセージを発行する警告工程を更に備えることを特徴とする請求項７又は８に記載の画像復号化装置の制御方法。
【請求項１０】
ピクチャ間予測符号化及びピクチャ内符号化を用いて圧縮された圧縮画像データを復号化する画像復号化装置であり、且つ前記圧縮画像データを記憶する第１のピクチャバッファと、復号化された画像データを記憶する第２のピクチャバッファとを備える画像復号化装置を制御する方法であって、
復号化手段が、前記第２のピクチャバッファに記憶される画像データを選択的に参照して、前記第１のピクチャバッファに記憶される前記圧縮画像データを復号化し、復号化された画像データを前記第２のピクチャバッファに記憶する復号化工程であって、前記ピクチャ間予測符号化による圧縮画像データと前記ピクチャ内符号化による圧縮画像データの両方を復号化する全復号処理モードと、前記ピクチャ内符号化による圧縮画像データのみを復号化する選択復号処理モードとを選択的に実行可能な復号化工程と、
検出手段が、前記第２のピクチャバッファの空き容量を検出する検出工程と、
制御手段が、前記検出工程によって検出された前記空き容量が所定値未満になったならば、前記復号化工程に前記選択復号処理モードによる復号化を指示する制御工程と、
判定手段が、前記復号化工程によって前記選択復号処理モードが実行されている期間に、前記第１のピクチャバッファに前記ピクチャ内符号化を用いて圧縮されたＩＤＲ（Instantaneous Decoder Refresh）ピクチャが記憶されたことを判定する判定工程と、を備え、
前記制御工程では、前記判定工程によってＩＤＲピクチャが記憶されたと判定されたことに応じて、前記復号化工程に当該ＩＤＲピクチャ以降の圧縮画像データを前記全復号処理モードによって復号化するように指示することを特徴とする画像復号化装置の制御方法。
【請求項１１】
前記制御工程では、前記選択復号処理モードで所定の期間、前記第２のピクチャバッファに画像データが記憶されない場合に、前記第２のピクチャバッファの画像データを所定の期間、繰り返し読み出すことを特徴とする請求項１０に記載の画像復号化装置の制御方法。
【請求項１２】
前記復号化工程の前記選択復号処理モードへの切り替えを示すメッセージを発行する警告工程を更に備えることを特徴とする請求項１０又は１１に記載の画像復号化装置の制御方法。
【手続補正２】
【補正対象書類名】明細書
【補正対象項目名】００１２
【補正方法】変更
【補正の内容】
【００１２】
上記の目的を達成するために、本発明に係る画像復号化装置は、ピクチャ内符号化を用いて圧縮されたＩＤＲ（Instantaneous Decoder Refresh）ピクチャ及びＩピクチャと、ピクチャ間予測符号化を用いて圧縮されたＰピクチャ及びＢピクチャとを含む圧縮画像データを復号化する画像復号化装置であって、前記圧縮画像データを記憶する第１のピクチャバッファと、復号化された画像データを記憶する第２のピクチャバッファと、前記第２のピクチャバッファに記憶される画像データを選択的に参照して、前記第１のピクチャバッファに記憶される前記圧縮画像データを復号化し、復号化された画像データを前記第２のピクチャバッファに記憶する復号化手段と、前記第２のピクチャバッファの空き容量を検出する検出手段と、前記検出手段によって検出された前記空き容量が所定値未満になったならば、前記復号化手段による復号化を中断して後続のI、Ｐ及びＢピクチャの復号化された画像データの出力を禁止する制御手段と、前記復号化手段による復号化が中断している期間に、前記第１のピクチャバッファにＩＤＲピクチャが記憶されたことを判定する判定手段と、を備え、前記制御手段は、前記判定手段によってＩＤＲピクチャが記憶されたと判定されたことに応じて、前記復号化手段による復号化を当該ＩＤＲピクチャから再開することを特徴とする。
【手続補正３】
【補正対象書類名】明細書
【補正対象項目名】００１３
【補正方法】変更
【補正の内容】
【００１３】
また、本発明に係る画像復号化装置は、ピクチャ間予測符号化及びピクチャ内符号化を用いて圧縮された圧縮画像データを復号化する画像復号化装置であって、前記圧縮画像データを記憶する第１のピクチャバッファと、復号化された画像データを記憶する第２のピクチャバッファと、前記第２のピクチャバッファに記憶される画像データを選択的に参照して、前記第１のピクチャバッファに記憶される前記圧縮画像データを復号化し、復号化された画像データを前記第２のピクチャバッファに記憶する復号化手段であって、前記ピクチャ間予測符号化による圧縮画像データと前記ピクチャ内符号化による圧縮画像データの両方を復号化する全復号処理モードと、前記ピクチャ内符号化による圧縮画像データのみを復号化する選択復号処理モードとを選択的に実行可能な復号化手段と、
前記第２のピクチャバッファの空き容量を検出する検出手段と、前記検出手段によって検出された前記空き容量が所定値未満になったならば、前記復号化手段に前記選択復号処理モードによる復号化を指示する制御手段と、前記復号化手段によって前記選択復号処理モードが実行されている期間に、前記第１のピクチャバッファに前記ピクチャ内符号化を用いて圧縮されたＩＤＲ（Instantaneous Decoder Refresh）ピクチャが記憶されたことを判定する判定手段と、を備え、前記制御手段は、前記判定手段によってＩＤＲピクチャが記憶されたと判定されたことに応じて、前記復号化手段に当該ＩＤＲピクチャ以降の圧縮画像データを前記全復号処理モードによって復号化するように指示することを特徴とする。
【手続補正４】
【補正対象書類名】明細書
【補正対象項目名】００１４
【補正方法】変更
【補正の内容】
【００１４】
また、本発明に係る画像復号化装置の制御方法は、ピクチャ内符号化を用いて圧縮されたＩＤＲ（Instantaneous Decoder Refresh）ピクチャ及びＩピクチャと、ピクチャ間予測符号化を用いて圧縮されたＰピクチャ及びＢピクチャとを含む圧縮画像データを復号化する画像復号化装置であり、且つ前記圧縮画像データを記憶する第１のピクチャバッファと、復号化された画像データを記憶する第２のピクチャバッファとを備える画像復号化装置を制御する方法であって、復号化手段が、前記第２のピクチャバッファに記憶される画像データを選択的に参照して、前記第１のピクチャバッファに記憶される前記圧縮画像データを復号化し、復号化された画像データを前記第２のピクチャバッファに記憶する復号化工程と、検出手段が、前記第２のピクチャバッファの空き容量を検出する検出工程と、制御手段が、前記検出工程によって検出された前記空き容量が所定値未満になったならば、前記復号化工程における復号化を中断して後続のI、Ｐ及びＢピクチャの復号化された画像データの出力を禁止する制御工程と、判定手段が、前記復号化工程による復号化が中断している期間に、前記第１のピクチャバッファにＩＤＲピクチャが記憶されたことを判定する判定工程と、を備え、前記制御工程では、前記判定工程によってＩＤＲピクチャが記憶されたと判定されたことに応じて、前記復号化工程による復号化を当該ＩＤＲピクチャから再開することを特徴とする。
【手続補正５】
【補正対象書類名】明細書
【補正対象項目名】００１５
【補正方法】変更
【補正の内容】
【００１５】
また、本発明に係る画像復号化装置の制御方法は、ピクチャ間予測符号化及びピクチャ内符号化を用いて圧縮された圧縮画像データを復号化する画像復号化装置であり、且つ前記圧縮画像データを記憶する第１のピクチャバッファと、復号化された画像データを記憶する第２のピクチャバッファとを備える画像復号化装置を制御する方法であって、復号化手段が、前記第２のピクチャバッファに記憶される画像データを選択的に参照して、前記第１のピクチャバッファに記憶される前記圧縮画像データを復号化し、復号化された画像データを前記第２のピクチャバッファに記憶する復号化工程であって、前記ピクチャ間予測符号化による圧縮画像データと前記ピクチャ内符号化による圧縮画像データの両方を復号化する全復号処理モードと、前記ピクチャ内符号化による圧縮画像データのみを復号化する選択復号処理モードとを選択的に実行可能な復号化工程と、検出手段が、前記第２のピクチャバッファの空き容量を検出する検出工程と、制御手段が、前記検出工程によって検出された前記空き容量が所定値未満になったならば、前記復号化工程に前記選択復号処理モードによる復号化を指示する制御工程と、判定手段が、前記復号化工程によって前記選択復号処理モードが実行されている期間に、前記第１のピクチャバッファに前記ピクチャ内符号化を用いて圧縮されたＩＤＲ（Instantaneous Decoder Refresh）ピクチャが記憶されたことを判定する判定工程と、を備え、前記制御工程では、前記判定工程によってＩＤＲピクチャが記憶されたと判定されたことに応じて、前記復号化工程に当該ＩＤＲピクチャ以降の圧縮画像データを前記全復号処理モードによって復号化するように指示することを特徴とする。
【手続補正６】
【補正対象書類名】図面
【補正対象項目名】図８
【補正方法】変更
【補正の内容】
【図８】
2008067364.tif 000001